(57)【要約】【課題】煩雑な処理を必要とすることなく、個々の電気器具毎の使用電力量や使用時間等をきめ細かく管理する電気器具管理技術を提供する。【解決手段】プラグ５０１にユニークな無線チップＮｏを持つ無線チップ５１０が装着された家電品５００等が情報コンセント４００に挿入されると、無線チップＮｏと情報コンセントＮｏをホームサーバ３００に送信する機能と、プラグ５０１が情報コンセント４００から抜かれる等で電力量が変化しなくなったら、電力カウンタ、タイムカウンタを無線チップＮｏを元にホームサーバ３００に記録する機能と、既定の電力量又は使用時間になったらホームサーバ３００より該当する家電品５００の保守部品等の交換を催促する機能と、外部からホームサーバ３００にログインし状況確認後、切断しても支障のない家電品５００等が接続されている情報コンセント４００の電源供給を遠隔操作で切断できる機能を備える。【選択図】　図１
2004056435.tif 000002
【特許請求の範囲】
【請求項１】
電気器具に付随した無線チップから読み取られた当該無線チップに固有の無線チップ識別情報を介して前記電気器具を識別して、前記電気器具の使用電力管理および保守管理および電源投入停止管理の少なくとも一つの管理を行うことを特徴とする電気器具管理方法。
【請求項２】
電気器具のプラグが挿抜される情報コンセントにて前記電気器具に付随した無線チップより読み取られる無線チップ識別情報を介した当該電気器具の識別を行う機能と、前記情報コンセントにて読み取られた情報を第１情報処理装置上に登録する機能と、登録された前記無線チップ識別情報を第２情報処理装置に問い合わせて前記電気器具に関する製品情報をダウンロードし、前記第１情報処理装置に登録する機能と、第３情報処理装置より前記第２情報処理装置に前記製品情報を配信する機能と、認証を経た外部からの指示により、前記電気器具に対する電源供給状態を管理する機能、の少なくとも一つの機能を含む電気器具管理システム。
【請求項３】
請求項２記載の電気器具管理システムにおいて、
前記第２情報処理装置は、前記無線チップ識別情報と対応する前記電気器具の製品識別情報とが対応付けて格納される無線チップ情報データベースを備え、前記第１情報処理装置より問い合わせのあった前記無線チップ識別情報に基づいて、前記無線チップ情報データベースおよび前記第３情報処理装置に備えられた製品情報データベースから対応する前記製品情報を選択して前記第１情報処理装置へ返信する機能と、前記第３情報処理装置の前記製品情報データベースから前記無線チップ識別情報に対応する前記製品情報をあらかじめ取り決めておいた前記無線チップ識別情報のコード表を元に取得する機能と、を含み、
前記第３情報処理装置は、前記製品識別情報と前記製品情報とが対応つけて格納される前記製品情報データベースを備え、前記第２情報処理装置から要求のあった前記製品情報をあらかじめ取り決めておいたコード表を元に前記製品情報データベースより選択し、前記第２情報処理装置に返信する機能を含み、
第１情報処理装置は、前記情報コンセントより送付された前記無線チップ識別情報と使用電力量および接続時間を電気器具情報データベース内に記録する機能と、前記使用電力量および接続時間を前記無線チップ識別情報毎に累積する機能と、累積された前記使用電力量および接続時間があらかじめ設定していた値になった場合に表示画面上に警告を発する機能と、前記無線チップ識別情報と対応する前記製品情報がない場合は、製品名、定期交換部品名、交換時期等の情報の少なくとも一つを含む前記製品情報を前記第２情報処理装置より取得する機能を含む、
ことを特徴とする電気器具管理システム。
【請求項４】
請求項２記載の電気器具管理システムにおいて、前記情報コンセントは、前記電気器具に付随した前記無線チップの前記無線チップ識別情報をリードライト部で読み取り、前記電気器具の前記使用電力量および接続時間をカウンタ部にて蓄積し、通信部より前記第１情報処理装置に送信する機能を含むことを特徴とする電気器具管理システム。
【請求項５】
商用電力のコンセントに挿抜されるプラグを備えた電気器具であって、前記プラグに当該電気器具を個別に識別するための識別情報を送信する無線チップを備えたことを特徴とする電気器具。
【発明の詳細な説明】
【０００１】
【発明の属する技術分野】
本発明は、電気器具管理技術ならびに電気器具に関し、特に、家庭や事務所等で使用される家電品や情報処理機器等の電気器具の管理等に適用して有効な技術に関する。
【０００２】
【従来の技術】
たとえば、家庭やオフィス等では、いわゆる家庭電化製品やパーソナルコンピュータ等の情報処理機器や事務機器等の電力で稼働する様々な電気器具が多数使用されており、これらの電気器具の個々の電力管理は消費電力の節減、すなわち電気代の節減に不可欠であるとともに、累積使用時間等に応じた消耗品の交換や清掃等の保守管理が必要な電気器具も多い。
【０００３】
【発明が解決しようとする課題】
従来では、個々の電気器具の消費電力が不明であるため使用中の多種多様な電気器具に関して定期的に交換が必要な部品を知らせてくれる手段は無かった。また、定期交換品は使用してからの年数（期間）からユーザが個別に判断して交換していた。寿命については利用頻度にもよるため、適切な期間の利用による故障等の判断がつかなかった。また、外部のネットワークよりログインし、電気器具の稼働状況を見てオンオフすることは出来なかった。
【０００４】
すなわち、利用者は、トータルの電力量はメータをみることでわかるが各電気器具の電力量は不明である。また、定期交換部品についてもどのタイミングで交換するべきか、明確な時期がわからない。故障した場合も、寿命によるものか等の原因がわからない。
【０００５】
また、特開平９−８４１４６号公報では、コンセント毎の電力量は取得できても、あらかじめ登録して対象となる電気器具をコンセントに対応付けなければ電気器具毎の電力量は取得できない。また、外部よりログインし、電気器具状況を確認し、オンオフする機能は提供されていない。
【０００６】
本発明の目的は、煩雑な処理を必要とすることなく、個々の電気器具毎の使用電力量や使用時間等をきめ細かく管理することが可能な技術を提供することにある。
【０００７】
本発明の他の目的は、個々の電気器具毎の累積使用時間等に応じた保守管理を的確に実施することが可能な技術を提供することにある。
【０００８】
本発明の他の目的は、遠隔操作による個々の電気器具毎の電源投入／切断等の電源管理を行うことが可能な技術を提供することにある。
【０００９】
【課題を解決するための手段】
本発明では、電気器具に付随した無線チップから読み取られた当該無線チップに固有の無線チップ識別情報を介して電気器具を識別して、電気器具の使用電力管理および保守管理および電源投入停止管理の少なくとも一つの管理を行うものである。
【００１０】
より具体的には、一例として、無線チップを電気器具のプラグ部分等に取り付け、情報コンセントにて認識され電力カウンタが更新されたときに無線チップ番号、電力量、接続時間を送付する。消費電力を取得する方法としては、各コンセントに電力カウンタを取り付け、プラグが挿された時と抜かれた時に差分を消費電力としてホームサーバに情報を転送する。転送された情報はどのコンセントから送付されたものかを情報コンセントから判断し記録する。無線チップをプラグ等に取り付けるだけでよいので電気器具等を改造する必要がなく、容易に実施できる。
【００１１】
プラグが挿されている接続時間の累積を求め、あらかじめ決められている値になったらホームサーバより交換催促をする。
【００１２】
各電気器具の情報は無線チップ管理サーバとの連動にて製品名の特定を実施し、家電メーカの提供する情報サーバより必要な情報（定期交換部品等）をネットワーク等を経由してダウンロードする。
【００１３】
外部からの接続は、ホームサーバで認証し、登録されているユーザであればログインし、電源情報を確認し、不要な機器とつながっているコンセントの電源を切断できる。
【００１４】
これにより、個々の電気器具は自動的にシステムに認識されるので、その都度個々のコンセントと電気器具とを対応付ける等の煩雑な操作は全く不要であり、個々の電気器具の消費電力、定期交換部品、さらには寿命等をきめこまかく管理できる。また、電気器具の消費電力を管理し節電に役立てることや、定期交換部品の交換時期を事前に知らせることにより適切な交換をうながすこともできる。また、寿命がきそうな製品には買い替え情報のサービスを提供できる。外部より公衆網等を経由しホームサーバにログインし電源を投入あるいは切断することもできる。
【００１５】
【発明の実施の形態】
以下、本発明の実施の形態を図面を参照しながら詳細に説明する。
【００１６】
以下の実施の形態の説明では、電気器具管理システムの一例として、無線チップを利用した家電品管理システムを例にとって説明するが、一般のオフィス環境における情報処理機器等を含めたあらゆる電気器具の管理にも適用できることはいうまでもない。また、データベースは、必要に応じてＤＢと略記する。
【００１７】
図１は、本発明の一実施の形態である電気器具管理方法を実施する家電品管理システムの構成の一例を示す概念図である。
【００１８】
図１に例示されるように、本実施の形態の家電品管理システムは、無線チップ管理サーバ１００、メーカ情報配信サーバ２００、公衆網６００等のネットワークでつながれたホームサーバ３００、家電品５００が接続される情報コンセント４００、プラグ５０１（但し、無線チップをつける場所はプラグに限定しない）に無線チップ５１０が付いている家電品５００、情報コンセント４００に所定の電圧の商用電力等の電力を供給する電力線７００、外部より電源管理を実施する場合の外部アクセス者８００（が操作する情報端末等の操作機器）を含んでいる。
【００１９】
上述のように、本発明の実施の形態は家電品管理のみでなく、家電品を含めたあらゆる電気製品の管理に適用できる。
【００２０】
図２に示すように、本実施の形態の無線チップ管理サーバ１００は、情報を処理するＣＰＵ部１０１と、操作するためのキー部１０２と、画面に表示するための表示部１０３とデータの通信を実施する通信部１０４と、情報を格納するためのディスク部１１０と、その中に情報を処理する手段を示したプログラム１１１、無線チップ情報が入った無線チップ情報ＤＢ１１２と、を備えている。
【００２１】
図３に示すように、本実施の形態のメーカ情報配信サーバ２００は、情報を処理するＣＰＵ部２０１と、操作するためのキー部２０２と、画面に表示するための表示部２０３とデータの通信を実施する通信部２０４と、情報を格納するためのディスク部２１０と、その中に情報を処理する手段を示したプログラム２１１と、家電品情報が入った製品情報ＤＢ２２２と、を備えている。
【００２２】
図４に示すように、本実施の形態のホームサーバ３００は、情報を処理するＣＰＵ部３０１と、操作するためのキー部３０２と、画面に表示するための表示部３０３とデータの通信を実施する通信部３０４と、一時的に情報を蓄えるメモリ部３１０と、情報を格納するためのディスク部３２０と、その中に家庭内の家電品情報が入ったホームサーバ用家電品情報ＤＢ３２１と、製品情報が入ったホームサーバ用製品情報ＤＢ３２２と、無線チップＮｏと製品情報を対応させるためのホームサーバ用無線チップ情報ＤＢ３２３と、家電品情報ＤＢに蓄えられている電力量や時間を集計したホームサーバ用情報集計ＤＢ３２４と、外部より接続する時の認証用としてホームサーバ用ユーザ情報ＤＢ３２５と、情報を処理する手段を示したプログラム３２６と、を備えている。
【００２３】
図５に示すように、本実施の形態の情報コンセント４００は、情報を処理するＣＰＵ部４０１と、情報を一時的に蓄えるメモリ部４０２と、無線チップＮｏを読み取るリードライト部４０３とデータの通信を実施する通信部４０４と、家電品５００のコンセントを接続し、電力線７００より供給される電源を家電品に送るオンオフ機能付コンセント４０６と、電力量や接続時間をカウントするカウンタ部４１０と、その中に電力量をカウントする電力カウンタ４１１と、接続時間をカウントするタイムカウンタ４１２と、を備えている。
【００２４】
図６に示すように、無線チップ管理サーバ１００の無線チップ情報ＤＢ１１２は、無線チップＮｏを格納する無線チップＮｏ１１２１と、対応する製品を特定するための製品コード１１２２、の各エリアを備えている。無線チップ５１０に番号以外に対応する製品コードがあらかじめ記載されている場合もある。
【００２５】
図７に示すように、メーカ情報配信サーバ２００のメーカ情報配信サーバ用製品情報ＤＢ２２２は、製品を特定するための製品コード２２２１と、製品名２２２２と、定期的に交換する必要がある交換品名を示す定期交換品名２２２３と、交換時期を示す定期交換時期２２２４の各エリアが設けられ、複数の定期交換部品がある場合は、各部品毎に定期交換時期と定期交換品名を、２２２４から２２２８の各エリアに格納する機能（但し、定期交換部品が複数ある場合は、同様にレコードを増やし対応できるものとする）、を備えている。
【００２６】
図８に示すように、ホームサーバ３００のホームサーバ用家電品情報ＤＢ３２１は、無線チップＮｏが入る無線チップＮｏ３２１１と、製品を特定するための製品コード３２１２と、情報コンセント４００より送られてくる電力量を格納する電力量３２１３と、情報コンセント４００より送られてくる接続時間を格納する接続時間３２１４と、どの情報コンセントに接続されているかを特定するためのコンセントＮｏ３２１５と、現在、使用しているかを判断するための利用状況フラグ３２１６の、各エリアを備えている。
【００２７】
図９に示すように、ホームサーバ３００のホームサーバ用製品情報ＤＢ３２２は、製品を特定するための製品コード３２２１と、製品名を示す製品名３２２２と、定期的に交換する必要がある交換品名を示す定期交換部品名３２２３と、その交換時期を示す定期交換時期３２２４と、複数の定期交換部品がある場合は、交換部品毎に定期交換時期と定期交換品名を、３２２４から３２２８の各エリアに格納する機能（但し、定期交換部品が複数ある場合は、同様にレコードを増やし対応できるものとする）と、を備えている。
【００２８】
図１０に示すように、ホームサーバ３００のホームサーバ用無線チップ情報ＤＢ３２３は、無線チップＮｏを格納する無線チップＮｏ３２３１と、対応する製品を特定するための製品コード３２３２、の各エリアを備えている。
【００２９】
図１１に示すように、ホームサーバ３００のホームサーバ用情報集計ＤＢ３２４は、無線チップＮｏ３２４１と、製品情報の製品コード３２４２と、無線チップ毎での合計電力量３２４３と、接続時間の合計時間３２４４、の各エリアを備えている。
【００３０】
図１２に示すように、外部より接続するためのホームサーバ３００のホームサーバ用ユーザ情報ＤＢ３２５は、ユーザＩＤ３２５１と、パスワード３２５２、のエリアを備えている。
【００３１】
以下、図１３のフローチャートを参照して本実施の形態の無線チップを利用した家電品管理システムの情報コンセント４００の処理手順の一例について説明する。ステップ１ａより開始で、情報コンセント４００に家電品５００が接続されたとき、ステップ１ｂで、電力カウンタ４１１が０以上になった場合、ステップ１ｃで、リードライト部４０３にて無線チップ５１０のナンバーを読み取り、ステップ１ｄにて、無線チップＮｏとコンセントＮｏを通信部４０４にてホームサーバ３００に転送し、ステップ１ｅにて電力カウンタ４１１の値をメモリ部４０２に書き込む。また、ステップ１ｂにて電力カウンタ４１１が０の場合は、０以上になるのを待つ。ステップ１ｆでは、電力カウンタ４１１とメモリ部４０２の値を比較し、同じになったら情報コンセント４００より家電品５００のプラグがはずされた、又は、家電品５００のスイッチが切断されたと判断し、ステップ１ｇにて、無線チップ５１０のＮｏとメモリ部４０２の値とタイムカウンタ４１２の値をホームサーバ３００に転送し、ステップ１ｈで、電力カウンタ４１１を０に戻し、ステップ１ｉで、タイムカウンタ４１２を０に戻し、ステップ１ｊで終了する。なお、タイムカウンタ４１２は電力カウンタ４１１と連動しており、電力カウンタ４１１が進むと同時にタイムカウンタ４１２も進むものとする。
【００３２】
以下、図１４のフローチャートを参照して本実施の形態の無線チップを利用した家電品管理システムのホームサーバ３００の情報コンセント４００より転送されてきた情報の処理手順の一例について説明する。ステップ２ａより開始で、ステップ２ｂでは、情報コンセント４００より無線チップＮｏとコンセントＮｏが転送され、ステップ２ｃで、ホームサーバ用家電品情報ＤＢ３２１の無線チップＮｏ３２１１のエリアとコンセントＮｏ３２１５のエリアに書き込み、ステップ２ｄで、利用状況フラグ３２１６に１を書き込む。ステップ２ｅで情報コンセント４００より無線チップＮｏとメモリ部４０２の電力値とタイムカウンタ４１２の値がホームサーバ３００に送付された場合、ステップ２ｆにてホームサーバ用家電品情報ＤＢ３２１の利用状況フラグ３２１６が１のもので無線チップＮｏを元に該当するエリアを見つけ、情報コンセント４００より送られてきたメモリ部４０２の電力量を電力量３２１３に、タイムカウンタ４１２の値を接続時間３２１４に書き込み、ステップ２ｇにて利用状況フラグ３２１６に０を書き込み、ステップ２ｈで終了する。
【００３３】
以下、図１５のフローチャートを参照して本実施の形態の無線チップを利用した家電品管理システムのホームサーバ３００のホームサーバ用無線チップ情報ＤＢ３２３の更新手順の一例について説明する。ステップ３ａより開始で、ステップ３ｂでは、ホームサーバ３００の利用状況フラグ３２１６が０でホームサーバ用家電品情報ＤＢ３２１内の製品コード３２１２に未入力（空白）かどうか判断し、未入力であればステップ３ｃへ、未入力で無ければステップ３ｆの終了処理を行う。ステップ３ｃでは、未入力であったレコードの無線チップＮｏ３２１１と無線チップＮｏ３２３１と比べ、該当する無線チップがあれば、ステップ３ｅへ、無ければステップ３ｄの処理を実施する。ステップ３ｄでは、無線チップＮｏ３２１１に対応する情報を無線チップ管理サーバ１００よりホームサーバ用無線チップ情報ＤＢ３２３にダウンロードする。ステップ３ｅでは、ホームサーバ用無線チップ情報ＤＢより、無線チップＮｏを元にホームサーバ用家電品情報ＤＢ３２１の製品コード３２１２に書き込み、ステップ３ｆで終了する。
【００３４】
以下、図１６のフローチャートを参照して本実施の形態の無線チップを利用した家電品管理システムのホームサーバ３００のホームサーバ用製品情報ＤＢ３２２の更新手順の一例について説明する。ステップ４ａより開始で、ステップ４ｂでは、ホームサーバ用無線チップ情報ＤＢ３２３内の製品コード３２３２が、ホームサーバ用製品情報ＤＢ３２２に有る場合は、ステップ４ｄの終了処理へ、無い場合は、ステップ４ｃで、メーカ情報配信サーバ用製品情報ＤＢ２２２よりホームサーバ用製品情報ＤＢ３２２に製品コードを元にダウンロードし、ステップ４ｄで終了する。
【００３５】
以下、図１７のフローチャートを参照して本実施の形態の無線チップを利用した家電品管理システムのホームサーバ３００のホームサーバ用情報集計ＤＢ３２４の集計と定期交換部品のお知らせを実施する手順の一例について説明する。ステップ５ａより開始で、ステップ５ｂでは、ホームサーバ用家電品情報ＤＢ３２１内の無線チップＮｏ３２１１毎に集計し、ホームサーバ用情報集計ＤＢ３２４に書き込む。ステップ５ｃでは、ホームサーバ用情報集計ＤＢ３２４とホームサーバ用製品情報ＤＢ３２２を比べ定期交換時期３２２４が合計電力量３２４３、又は、合計時間３２４４がより大きい場合は、ステップ５ｅへ、小さい場合はステップ５ｄの処理を実施する。ステップ５ｄでは、ホームサーバ用製品情報ＤＢ３２２の定期交換部品名をホームサーバ３００の表示部３０３に表示し、交換を促す。ステップ５ｅでは、定期交換部品が無くなるまで実施、ある場合はステップ５ｃに戻る、無くなればステップ５ｆの終了処理を実施する。定期交換部品を交換した場合は、ホームサーバ３００に交換情報を記録する。
【００３６】
以下、図１８のフローチャートを参照して本実施の形態の無線チップを利用した家電品管理システムのホームサーバ３００へ外部より接続し、電源管理を実施しする手順の一例について説明する。ステップ６ａより開始で、ステップ６ｂでは、外部アクセス者８００が公衆網６００等のネットワークを通じてホームサーバ３００にログインする。ステップ６ｃでは外部アクセス者が正当な人かどうかを判断するためにユーザＩＤとパスワードを入力する。ステップ６ｄでは、入力されたユーザＩＤ、パスワードをホームサーバ用ユーザ情報ＤＢ３２５内のユーザＩＤ３２５１とパスワード３２５２と比較し、両方ともに正しければ、ステップ６ｅの処理を実施し、正しくなければ、ステップ６ｃにて警告を発し再度入力を促し、ある特定の回数まで入力を間違った場合は、不正利用者と判断し、ホームサーバ３００の表示部３０３に警告を表示する。ステップ６ｅでは、ホームサーバ用家電品情報ＤＢ３２１内の利用状況フラグ３２１６で１のものについて一覧表示し、ステップ６ｇにて切断の命令が有る場合は、ステップ６ｆの処理を行い、無い場合はステップ６ｈにてログオフし終了処理を行う。ステップ６ｆでは、情報コンセント４００内のオンオフ機能付コンセント４０６をオフにし、ステップ６ｅの処理を再度実施する。
【００３７】
以上説明したように、本実施の形態によれば、現状の家電品５００等において、特別な改造を実施しなくても、たとえば家電品５００の製造および流通等の任意の時点で、そのプラグ５０１等に無線チップ５１０を付加するだけで、情報コンセント４００を介してホームサーバ３００等が個々の家電品５００の種類等を自動的に認識して、各家電品５００等の使用電力量等の電源管理、累積使用時間（接続時間）等に基づく保守部品等の定期交換時期のお知らせ、外部からの電源のＯＮ／ＯＦＦ等の管理が可能となる効果が得られる。
【００３８】
これにより、個々の電気器具を意識することなく、家庭やオフィス等での消費電力の適切な管理や削減、適時の保守管理の実施による保守管理作業の効率化、寿命延長等の効果が得られる。
【００３９】
本願の特許請求の範囲に記載された発明を見方を変えて表現すれば以下の通りである。
【００４０】
（１）．無線チップが付いたプラグ等より無線チップＮｏと電力量と時間を情報コンセントで読み取り、その情報をホームサーバ上に登録する機能と、登録された無線チップＮｏを無線チップ管理サーバに問い合わせ製品名、定期交換部品名、交換時期等をダウンロードし、ホームサーバに登録する機能と、家電メーカ情報配信サーバより無線チップ管理サーバに製品情報を配信する機能と、外部より接続する場合は認証を実施し、コンセント状況を確認、オンオフを実施する機能と、を有する家電品管理システム。
【００４１】
（２）．項目（１）において、ホームサーバより問い合わせのあった無線チップＮｏに基づいて、無線チップ情報データベースと製品情報データベースより必要な情報を選択しホームサーバへ返信する機能と、家電メーカ情報配信サーバから該当する製品情報をあらかじめ取り決めておいたコード表を元に取得する機能と、を有する無線チップ管理サーバ。
【００４２】
（３）．項目（１）において、無線チップ管理サーバから要求のあった製品情報をあらかじめ取り決めておいたコード表を元に製品情報データベースより選択し、無線チップ管理サーバに返信する機能を有する家電メーカ情報配信サーバ。
【００４３】
（４）．項目（１）において、情報コンセントより送付された無線チップＮｏの情報と電力量と時間を家電品情報データベース内に記録する機能と、無線チップ毎に累積する機能と、累積された数字があらかじめ設定していた数字になった場合に画面上に警告を発する機能と、無線チップＮｏと対応する製品情報がない場合は、製品名、定期交換部品名、交換時期等の製品情報を無線チップ管理サーバより取得する機能を有するホームサーバ。
【００４４】
（５）．項目（１）において、電気器具等の無線チップＮｏをリードライト部で読み取り、電力量と接続時間をカウンタ部にて蓄積し、通信部よりホームサーバに送信する機能を有する情報コンセント。
【００４５】
以上本発明者によってなされた発明を実施の形態に基づき具体的に説明したが、本発明は前記実施の形態に限定されるものではなく、その要旨を逸脱しない範囲で種々変更可能であることはいうまでもない。
【００４６】
【発明の効果】
煩雑な処理を必要とすることなく、個々の電気器具毎の使用電力量や使用時間等をきめ細かく管理することができる。
【００４７】
個々の電気器具毎の累積使用時間等に応じた保守管理を的確に実施することが可能となる。
【００４８】
遠隔操作による個々の電気器具毎の電源投入／切断等の電源管理を行うことが可能となる。
【図面の簡単な説明】
【図１】本発明の一実施の形態である家電品管理システムの構成の一例を示す概念図である。
【図２】本発明の一実施の形態である家電品管理システムにおける無線チップ管理サーバの構成の一例を示すブロック図である。
【図３】本発明の一実施の形態である家電品管理システムにおけるメーカ情報配信サーバの構成の一例を示すブロック図である。
【図４】本発明の一実施の形態である家電品管理システムにおけるホームサーバの構成の一例を示すブロック図である。
【図５】本発明の一実施の形態である家電品管理システムにおける情報コンセントの構成の一例を示すブロック図である。
【図６】本発明の一実施の形態である家電品管理システムにおける無線チップ管理サーバ用無線チップ情報ＤＢの構成の一例を示すブロック図である。
【図７】本発明の一実施の形態である家電品管理システムにおけるメーカ情報配信サーバ用製品情報ＤＢの構成の一例を示すブロック図である。
【図８】本発明の一実施の形態である家電品管理システムにおけるホームサーバ用家電品情報ＤＢの構成の一例を示すブロック図である。
【図９】本発明の一実施の形態である家電品管理システムにおけるホームサーバ用製品情報ＤＢの構成の一例を示すブロック図である。
【図１０】本発明の一実施の形態である家電品管理システムにおけるホームサーバ用無線チップ情報ＤＢの構成の一例を示すブロック図である。
【図１１】本発明の一実施の形態である家電品管理システムにおけるホームサーバ用情報集計ＤＢの構成の一例を示すブロック図である。
【図１２】本発明の一実施の形態である家電品管理システムにおけるホームサーバ用ユーザ情報ＤＢの構成の一例を示すブロック図である。
【図１３】本発明の一実施の形態である家電品管理システムにおける情報コンセントの処理例を示すフローチャートである。
【図１４】本発明の一実施の形態である家電品管理システムにおけるホームサーバの処理例を示すフローチャートである。
【図１５】本発明の一実施の形態である家電品管理システムにおけるホームサーバより無線チップ管理サーバへの問い合わせの処理例を示すフローチャートである。
【図１６】本発明の一実施の形態である家電品管理システムにおけるホームサーバよりメーカ情報配信サーバへの問い合わせの処理例を示すフローチャートである。
【図１７】本発明の一実施の形態である家電品管理システムにおけるホームサーバの定期交換部品アナウンスの処理例を示すフローチャートである。
【図１８】本発明の一実施の形態である家電品管理システムにおける外部からのホームサーバへのログイン方法の処理例を示すフローチャートである。
【符号の説明】
１００…無線チップ管理サーバ（第２情報処理装置）、１０１…ＣＰＵ部、１０２…キー部、１０３…表示部、１０４…通信部、１１０…ディスク部、１１１…プログラム、１１２…無線チップ管理サーバ用無線チップ情報ＤＢ、２００…メーカ情報配信サーバ（第３情報処理装置）、２０１…ＣＰＵ部、２０２…キー部、２０３…表示部、２０４…通信部、２１０…ディスク部、２１１…プログラム、２２２…メーカ情報配信サーバ用無線チップ情報ＤＢ、３００…ホームサーバ（第１情報処理装置）、３０１…ＣＰＵ部、３０２…キー部、３０３…表示部、３０４…通信部、３１０…メモリ部、３２０…ディスク部、３２１…ホームサーバ用家電品情報ＤＢ、３２２…ホームサーバ用製品情報ＤＢ、３２３…ホームサーバ用無線チップ情報ＤＢ、３２４…ホームサーバ用情報集計ＤＢ、３２５…ホームサーバ用ユーザ情報ＤＢ、３２６…プログラム、４００…情報コンセント、４０１…ＣＰＵ部、４０２…メモリ部、４０３…リードライト部、４０４…通信部、４０６…オンオフ機能付コンセント、４１０…カウンタ部、４１１…電力カウンタ、４１２…タイムカウンタ、５００…家電品、５１０…無線チップ、６００…公衆網、７００…電力線、８００…外部アクセス者。
【図１】
2004056435.tif 000003
【図２】
2004056435.tif 000004
【図３】
2004056435.tif 000005
【図４】
2004056435.tif 000006
【図５】
2004056435.tif 000007
【図６】
2004056435.tif 000008
【図７】
2004056435.tif 000009
【図８】
2004056435.tif 000010
【図９】
2004056435.tif 000011
【図１０】
2004056435.tif 000012
【図１１】
2004056435.tif 000013
【図１２】
2004056435.tif 000014
【図１３】
2004056435.tif 000015
【図１４】
2004056435.tif 000016
【図１５】
2004056435.tif 000017
【図１６】
2004056435.tif 000018
【図１７】
2004056435.tif 000019
【図１８】
2004056435.tif 000020